【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
冷蔵庫本体と、前記冷蔵庫本体に設けた冷蔵室と、前記冷蔵室内に着脱自在に設けた棚板と、前記冷蔵室はその両側壁に前記棚板を支持する前支持部と後支持部と、前記後支持部より低い位置で前記棚板の後部を支持する支持面部とを有し、
前記棚板は棚板部材とその外周を形成する枠部材とで構成され、前記枠部材の後方両側部には切欠き部を有し、前記棚板は前記枠部材が前記前支持部に嵌合して支持され、前記切欠き部に前記後支持部が嵌って、前記枠部材の上面と前記後支持部とが略同一面となって前記支持面部に支持されることを特徴とする冷蔵庫。
【請求項２】
前記前支持部と前記切欠き部とは前記棚板の前端縁が少なくとも冷蔵室の開口端縁より後方位置で合致する構成とした請求項１記載の冷蔵庫。
【請求項３】
前記前支持部に形成した凸部に前記棚板の前記枠部材に形成した凹溝が嵌合する構成を設けた請求項１または２記載の冷蔵庫。
【請求項４】
冷蔵室両側壁の後支持部は棚板後両側部の切欠き部を支持する支持面部以外の部分を上方に隆起させてその上面が棚板の上面と略同一面となる構成とした請求項２または３記載の冷蔵庫。
【請求項５】
前記冷蔵室の背面に当該背面から前方に突出して縦設した冷蔵室ダクトと、前記冷蔵室ダクト前方の冷蔵室内に着脱自在に設けた複数の棚板とを備え、前記棚板の後端縁には前記冷蔵室ダクト両側の冷蔵室背面と棚板後端縁との間の隙間に向けて突出する突出片を設けたことを特徴とする請求項１から４のいずれか１項記載の冷蔵庫。
【請求項６】
前記棚板の突出片は冷蔵室背面側に向って上方に傾斜する傾斜面を有する構成とした請求項５に記載の冷蔵庫。
【手続補正２】
【補正対象書類名】明細書
【補正対象項目名】０００８
【補正方法】変更
【補正の内容】
【０００８】
本発明はこのような課題に鑑みてなしたもので、冷蔵庫が壁際に設置されていて冷蔵室扉が９０度以上に開くことができなくても傾斜状態であればそのまま棚板を手前側に引き出すことができ、棚板の着脱を容易に行うことができる冷蔵庫の提供を目的としたものである。
【手続補正３】
【補正対象書類名】明細書
【補正対象項目名】０００９
【補正方法】変更
【補正の内容】
【０００９】
本発明は、上記目的を達成するため、棚板の両側部をスライド自在に支持するとともに、前記棚板の後両側部には後支持部による支持代を残して切欠き部を設け、かつ冷蔵室両側壁に設けた前支持部のうち、いずれか一方側の前支持部は前記棚板後部に設けた切欠き部より小さい形状とした構成としてある。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明は、上記構成により、棚板を冷蔵室の開口端縁より前方まで引き出さなくても傾斜状態とすることができて、冷蔵室扉が９０度以上に開くことができなくても確実に棚板を着脱することができる。
【手続補正６】
【補正対象書類名】明細書
【補正対象項目名】００１３
【補正方法】変更
【補正の内容】
【００１３】
第１の発明は、冷蔵庫本体と、前記冷蔵庫本体に設けた冷蔵室と、前記冷蔵室内に着脱自在に設けた棚板と、前記冷蔵室はその両側壁に前記棚板を支持する前支持部と後支持部と、前記後支持部より低い位置で前記棚板の後部を支持する支持面部とを有し、前記棚板は棚板部材とその外周を形成する枠部材とで構成され、前記枠部材の後方両側部には切欠き部を有し、前記棚板は前記枠部材が前記前支持部に嵌合して支持され、前記切欠き部に前記後支持部が嵌って、前記枠部材の上面と前記後支持部とが略同一面となって前記支持面部に支持される構成としてある。
【手続補正７】
【補正対象書類名】明細書
【補正対象項目名】００１４
【補正方法】変更
【補正の内容】
【００１４】
これにより、棚板は前方に向けて引き出しその後両側部の切欠き部が冷蔵室側壁の一方側の前支持部に合致すると切欠き部が当該前支持部から脱落して他方側の前支持部を支点に傾斜状態となる。したがって、冷蔵庫が壁際に設置されていて冷蔵室扉が９０度以上に開くことができなくても傾斜状態であればそのまま棚板を手前側に引き出すことができ、棚板の着脱を容易に行うことができる。
【手続補正８】
【補正対象書類名】明細書
【補正対象項目名】００１５
【補正方法】変更
【補正の内容】
【００１５】
第２の発明は、前記前支持部と前記切欠き部とは前記棚板の前端縁が少なくとも冷蔵室の開口端縁より後方位置で合致する構成としてある。
【手続補正９】
【補正対象書類名】明細書
【補正対象項目名】００１６
【補正方法】変更
【補正の内容】
【００１６】
これにより、冷蔵庫が壁際に設置されていて冷蔵室扉が９０度以上に開くことができなくても確実に棚板を着脱することができ、取り扱いが容易になる。
【手続補正１０】
【補正対象書類名】明細書
【補正対象項目名】００１７
【補正方法】変更
【補正の内容】
【００１７】
第３の発明は、前記前支持部に形成した凸部に前記棚板の前記枠部材に形成した凹溝が嵌合する構成としてある。
【手続補正１１】
【補正対象書類名】明細書
【補正対象項目名】００１８
【補正方法】変更
【補正の内容】
【００１８】
これにより、棚板はスライドさせる前に上方に持ち上げるなどして凹所と凸部の嵌合を外さなければスライドさせることができず、不用意に棚板を前方にスライドさせて棚板が前支持部から脱落し傾斜状態となるのを防止でき、安全性を向上させることができる。
【手続補正１２】
【補正対象書類名】明細書
【補正対象項目名】００１９
【補正方法】変更
【補正の内容】
【００１９】
第４の発明は、第３の発明において、前記冷蔵室両側壁の後支持部は棚板後両側部の切欠き部を支持する支持面部以外の部分を上方に隆起させてその上面が棚板の上面と略同一面となる構成としてある。
【手続補正１３】
【補正対象書類名】明細書
【補正対象項目名】００２１
【補正方法】変更
【補正の内容】
【００２１】
第５の発明は、前記冷蔵室の背面に当該背面から前方に突出して縦設した冷蔵室ダクトと、前記冷蔵室ダクト前方の冷蔵室内に着脱自在に設けた複数の棚板とを備え、前記棚板の後端縁には前記冷蔵室ダクト両側の冷蔵室背面と棚板後端縁との間の隙間に向けて突出する突出片を設けた構成としてある。
【手続補正１４】
【補正対象書類名】明細書
【補正対象項目名】００２２
【補正方法】変更
【補正の内容】
【００２２】
これにより、棚板に載せた小物食品が冷蔵室ダクト両側の冷蔵室背面と棚板後端縁との間の隙間側に向って転がるようなことがあってもこの小物食品は突出片によって受け止められ、下方へ落下するのを防止することができる。したがって、使用者に小物食品の落下による不信感を与えることのない信頼性の高い冷蔵庫とすることができる。
【手続補正１５】
【補正対象書類名】明細書
【補正対象項目名】００２３
【補正方法】変更
【補正の内容】
【００２３】
第６の発明は、前記棚板の突出片は冷蔵室背面側に向って上方に傾斜する傾斜面を有する構成としてある。
【手続補正１６】
【補正対象書類名】明細書
【補正対象項目名】００２４
【補正方法】変更
【補正の内容】
【００２４】
これにより、棚板の上に載置した小物食品が冷蔵室背面側へと移動するのを防止でき、より確実に食品落下を防止することができる。
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】